(57)【要約】  一態様において、本発明は、燻蒸剤ガス捕捉装置を提供する。この装置は、燻蒸剤ガスが入っている容積に接続するのに適した少なくとも１つのチャネル、ガスを受容する入口を画定するチャネル、およびガスをチャネルから出すことを可能にする出口を含む。装置は、燻蒸剤ガスにチャネルを貫通させるように配設された少なくとも１つの追いやり構造体、処理液をチャネルに送達するように適合された少なくとも１つの噴霧ノズル、および、噴霧ノズルまたはノズルが処理液をパッキン要素に対して噴霧することができるように、チャネル内に位置付けられた少なくとも１つのパッキン要素も含む。
2018511461.tif 000002
【特許請求の範囲】
【請求項１】
燻蒸剤ガスを含む容積に接続するために適合された、少なくとも１つのチャネルであって、ガスを受容する入口と、ガスが前記チャネルから出ることを可能にする出口と、を画定する、少なくとも１つのチャネルと、
前記チャネルを通って燻蒸剤ガスを追いやるように配設された少なくとも１つの追いやり構造体と、
処理液を前記チャネル内へ送達するように適合された少なくとも１つの噴霧ノズルと、
噴霧ノズルまたはノズルが処理液をパッキン要素上に噴霧することを可能にするように前記チャネル内に位置付けられた少なくとも１つの前記パッキン要素と、を含む、燻蒸剤ガス捕捉装置。
【請求項２】
前記少なくとも１つのパッキン要素が、前記少なくとも１つのパッキン要素の表面の少なくとも一部を処理液で覆うように噴霧ノズルにより処理液を噴霧されて、燻蒸剤ガスを、前記チャネルを通って追いやられたときに、前記パッキン要素の前記覆われた１つまたは複数の表面に晒す、請求項１に記載の燻蒸剤ガス捕捉装置。
【請求項３】
臭化メチルを捕捉しかつ処理する、請求項１に記載の燻蒸剤ガス捕捉装置。
【請求項４】
処理液を前記少なくとも１つの噴霧ノズルに送達するように適合された、処理液のリザーバを含む、請求項１に記載の燻蒸剤ガス捕捉装置。
【請求項５】
前記処理液が、少なくとも７のｐＨ値を有する、塩基性またはアルカリ性の液体である、請求項４に記載の燻蒸剤ガス捕捉装置。
【請求項６】
前記処理液が、有機溶媒からなるか、またはそれを含む、請求項４に記載の燻蒸剤ガス捕捉装置。
【請求項７】
チャネルが、１つの端に単一の入口およびその反対の端に単一の出口を備える、線形導管によって形成される、請求項１に記載の燻蒸剤ガス捕捉装置。
【請求項８】
チャネルが、その出口を前記チャネルの前記上部に、およびその入口を前記チャネルの前記底部に位置付けた実質的に垂直の配向を有する、請求項７に記載の燻蒸剤ガス捕捉装置。
【請求項９】
１つまたは複数のチャネルの前記出口と１つまたは複数のさらなるチャネルの前記入口との間に提供されるリンク機構で互いに相互接続するために配設された複数のチャネルを組み入れる、請求項７に記載の燻蒸剤ガス捕捉装置。
【請求項１０】
燻蒸剤ガス流が、複数の連続して配列されたチャネルを通って濾過される、請求項９に記載の燻蒸剤ガス捕捉装置。
【請求項１１】
前記燻蒸剤ガス捕捉装置のチャネルのそれぞれ内に１つの噴霧ノズルのみを組み込み、各噴霧ノズルが前記チャネルの前記出口に隣接して位置付けられる、請求項１に記載の燻蒸剤ガス捕捉装置。
【請求項１２】
パッキン要素が、前記燻蒸剤ガスが前記チャネルを通って追いやられたときに晒される、前記パッキン要素に噴霧された処理液の液滴のサイズを縮小する、請求項１に記載の燻蒸剤ガス捕捉装置。
【請求項１３】
パッキン要素が、前記燻蒸剤ガス化合物の相が液体形態になることを促進する、請求項１に記載の燻蒸剤ガス捕捉装置。
【請求項１４】
パッキン要素が、前記燻蒸剤ガスにおける乱流を誘起し、チャネル内の前記ガスと液体との間の前記表面積の接触を最適化するように配設されたテラレットから形成される、請求項１に記載の燻蒸剤ガス捕捉装置。
【請求項１５】
本発明で使用されるチャネルが、複数のパッキン要素を配置する、請求項１に記載の燻蒸剤ガス捕捉装置。
【請求項１６】
チャネルが実質的に垂直の配向を有する場合、パッキン要素がパッキンを有する塔機構を形成し、処理液が前記塔の上部に噴霧され、燻蒸剤ガスが前記塔の底部を通って追いやられる、請求項１に記載の燻蒸剤ガス捕捉装置。
【請求項１７】
ファンまたはポンプのうちの１つまたは複数を使用して、導管を通ってガス流を押す、かつ／または引く、請求項１に記載の燻蒸剤ガス捕捉装置。
【請求項１８】
ファンまたはポンプが各チャネルに設けられる、請求項１に記載の燻蒸剤ガス捕捉装置。
【請求項１９】
少なくとも１つのチャネルの前記入口に係合された、伝熱構造体を含む、請求項１に記載の燻蒸剤ガス捕捉装置。
【請求項２０】
車輪のセットによって支持される、可動支持プラットフォームを含む、請求項１に記載の燻蒸剤ガス捕捉装置。
【請求項２１】
前記可動支持プラットフォームが、前記装置が車両によって新しい場所に牽引されることを可能にするように構成された、牽引リンク機構を含む、請求項２０に記載の燻蒸剤ガス捕捉装置。
【請求項２２】
少なくとも１つのパッキン要素と交差するように、処理液をチャネルに噴霧するステップと、
燻蒸剤ガスを、チャネルを通って追いやり、前記噴霧された処理液と接触させるステップとを特徴とする、燻蒸剤ガス捕捉の方法。
【発明の詳細な説明】
【技術分野】
【０００１】
本発明は、燻蒸剤ガス捕捉の方法およびその装置に関する。好ましい実施形態において、本発明を使用して、燻蒸剤化合物を処理または中和することができる。
【背景技術】
【０００２】
様々な用途において望ましくない生物を殺滅するのに、燻蒸剤ガスが使用される。たとえば、駆除剤、除草剤、または殺虫剤の役割を果たす燻蒸剤ガスが、囲まれた容積内で循環させられ得る。建物、船倉、または穀物用サイロなどの構造の内部において害虫を殺滅するのに、また輸送コンテナ内にある商品を殺菌するのに、燻蒸剤ガスが使用され得る。他の用途では、輸送の前または後に木材を殺菌するのに、燻蒸剤ガスが、布カバーでくるまれた丸太の山の中に備えられ得る。燻蒸剤ガスの適用範囲は、これらのガスが、比較的小さな囲まれた容積でも相対的に大きな囲まれた容積でもその中に投入され、またそこから取り除かれることを要求する。
【０００３】
しかしながら、一般的に使用される燻蒸剤ガス合成物の多くは、人の健康および安全性に危険をもたらす。さらに、これらの合成物のいくつかは、大気に直接排出される場合、環境汚染源でもある。例えば、臭化メチルは、オゾンと反応する、広く使用される燻蒸剤である。世界中の様々な規制機関は、今、これらの種類のガスの直接大気への排出を制限し始めている。
【０００４】
多数の従来技術は、様々な閉鎖環境に放出された燻蒸剤ガスを捕捉、洗浄、または処理することを発展させてきた。
【０００５】
例えば、米国特許出願公開第２０１０／０１７２８０７号は、反応液の槽を通して燻蒸剤ガスを泡立てる、燻蒸剤ガス洗浄器の代表的な例を開示する。これらの槽に基づくシステムは、ガスを反応させて問題の少ない化合物にする、処理液に晒された燻蒸剤ガスの十分な当接表面積に依拠する。ガス気泡の大きさのせいで、これらのシステムは、燻蒸剤ガスの小容積または低流量を処理するのに使用される場合しか実用的または効果的ではない。溶液槽に適用されたガス流量が増加すると、槽溶液に晒され、かつそれによって処理された燻蒸剤ガスの量を制限する、槽を通過するガス気泡の容積も増加する。
【０００６】
上記システムに存在する規模または有用性の問題に取り組む１つの試みは、最初は活性炭の基質において燻蒸剤ガスを捕捉することであった。米国特許第５９０４９０９号は、この技術形態の代表的な例を提供する。燻蒸剤ガスを含むガス流は、ガス流から燻蒸剤ガスを捕捉および取り除く、並んだ活性炭材料を含む導管に送達される。これらの導管内の活性炭は、最終的にこれらの化合物で飽和状態になる。炭は、その後、除去され、捕捉された燻蒸剤ガス化合物を処理および中和するのに使用される、追加の溶液または反応液に晒される。
【０００７】
これらの種類の活性炭ガス洗浄器は、比較的に高流量で送達される、大容積の燻蒸剤ガスを捕捉かつ処理するのに効果的に機能することができる。しかしながら、それらは、原料集中システムであり、高い整備要求を有する。さらに、活性炭によるいくつかの種類の燻蒸剤ガスの捕捉は、発熱反応を誘発し、生成された熱が注意深く扱われることを必要とし、起こり得る火災の危険性をもたらす。
【先行技術文献】
【特許文献】
【０００８】
【特許文献１】米国特許出願公開第２０１０／０１７２８０７号明細書
【発明の概要】
【発明が解決しようとする課題】
【０００９】
したがって、上記の問題に取り組み、または少なくとも公民に代替的選択を提供した、従来技術に対して改良を有するのは有利となるだろう。実際に小容量および大容量の両方の燻蒸剤ガスで使用され得、安価に実施、実行かつ維持された、改良された燻蒸剤ガス捕捉および処理技術は、特に有利となるだろう。場所から場所へ簡単に移送され得、制限された空間内に納まるように構成され得る、改良された燻蒸剤ガス捕捉および処理装置も、有利となるだろう。
本明細書において、特許明細書および他の文書を含む、外部情報源に対して参照が行われたが、これは、概して、本発明の特徴を考察するための背景状況を提供する目的のためである。別段の定めがない限り、このような情報源への参照は、如何なる権限においても、このような情報源が先行技術であるか、または、当技術分野における共通一般知識の一部を形成するという自認として、解釈されるべきではない。
【課題を解決するための手段】
【００１０】
本発明の一態様に従って、燻蒸剤ガス捕捉装置が提供され、本装置は、
燻蒸剤ガスを含む容積に接続するために適合された、少なくとも１つのチャネルであって、ガスを受容する入口と、ガスがチャネルから出ることを可能にする出口と、を画定する、少なくとも１つのチャネルと、
チャネルを通って燻蒸剤ガスを追いやるように配設された少なくとも１つの追いやり構造体（ｄｒｉｖｅ  ｓｔｒｕｃｔｕｒｅ）と、
処理液をチャネル内へ送達するように適合された少なくとも１つの噴霧ノズルと、
噴霧ノズルまたはノズルが処理液をパッキン要素上に噴霧することを可能にするようにチャネル内に位置付けられた少なくとも１つのパッキン要素と、を含む。
【００１１】
本発明のさらなる態様に従って、処理液を少なくとも１つの噴霧ノズルに送達するように適合された、処理液のリザーバを含む、実質的に上記に説明されたような、燻蒸剤ガス捕捉装置が提供される。
【００１２】
燻蒸剤ガス捕捉の方法は、
少なくとも１つのパッキン要素と交差するように、処理液をチャネルに噴霧するステップと、
チャネルを通って燻蒸剤ガスを追いやり、噴霧された処理液と接触させるステップによって特徴付けられる。
【００１３】
本発明のさらなる態様に従って、実質的に上記に説明されたように、燻蒸剤ガス捕捉装置が提供され、パッキン要素上の噴霧する処理液は、チャネルを通って追いやられたとき、燻蒸剤ガスが晒される処理液滴のサイズを縮小する。本発明で使用されるパッキン要素はまた、カラムを通る気流の乱れを増加させ、燻蒸剤ガスと処理液との間の相互作用を増やす。
【００１４】
本発明のさらなる態様に従って、上記の少なくとも１つのパッキン要素が、噴霧ノズルにより処理液で噴霧され、パッキン要素の面の少なくとも一部を処理液で覆い、燻蒸剤ガスを、チャネルを通って追いやられたときに、パッキン要素の覆われた１つまたは複数の面に晒す、ほぼ上述のような燻蒸剤ガス捕捉装置が提供される。
【００１５】
処理液は、少なくとも７のｐＨ値を有する、塩基性またはアルカリ性の液であることが、好ましい。
【００１６】
処理液は、有機溶媒からなるか、またはそれを含むことが好ましい。
【００１７】
本発明のさらなる態様に従って、実質的に上記に説明されたように、燻蒸剤ガス捕捉装置が提供され、少なくとも１つの噴霧ノズルは、チャネルの出口に隣接して位置している。
【００１８】
チャネルは、チャネルの頂部における出口およびチャネルの底部における入口を有する、実質的に垂直の配向で提供される。この配列において、チャネルは、ガスが処理液の流れに対して押し上げられる、実質的に中空カラムを形成する。
【００１９】
本発明のさらなる態様に従って、追加のチャネルの入口に接続されている、少なくとも１つのチャネルの出口を備える複数のチャネルを含む、実質的に上記に説明されたような、燻蒸剤ガス捕捉装置が提供される。
【００２０】
本発明の別の態様に従って、少なくとも１つのチャネルの入口と係合した伝熱構造を含む、実質的に上記に説明したような、燻蒸剤ガス捕捉装置が提供される。
【００２１】
本発明は、燻蒸剤ガスを捕捉するための装置および方法を提供するのに適合される。本発明は、燻蒸された容積（本明細書において「燻蒸処理室」とも呼ばれる）から送達されたこれらの燻蒸剤ガスを捕捉かつ反応するような、処理液の使用を採用する。
【００２２】
本発明は、様々な環境から送達されることができる、広範な燻蒸剤ガスを捕捉かつ処理するのに使用され得ることを、当業者は認識されよう。本発明は、例えば、様々な用途において、臭化メチル、フッ化スルフリル、またはホスフィンから形成された燻蒸剤ガスを捕捉かつ処理するのに使用され得る。さらに、本発明は、例えば、建物、穀物サイロ、船倉、輸送コンテナの内部から抽出された燻蒸剤ガス、または、様々な用途における覆われた山積みの丸太の下に閉じ込められた燻蒸剤ガスを使用し得る。
【００２３】
しかしながら、この明細書を通した全体的な参照は、燻蒸剤ガスとして臭化メチルを捕捉かつ処理するのに使用される発明に対して主になされることになる。他の種類のガスも、本発明と関連して捕捉かつ処理され得ることが、再び当業者は認識するだろう。
【００２４】
発明は、少なくとも１つのチャネルを使用して、処理される燻蒸剤ガスの通過また移動を制御する。本発明と関連して使用されるチャネルは、入口から出口への経路を画定する、任意の種類の導管、ハウジング、または筐体によって形成され得ることが、好ましい。チャネルによって画定された経路は、実質的に直線状であり得ることが好ましいが、導管の代替の形状または形態は、様々な実施形態においても使用され得ることを、当業者は認識するだろう。
【００２５】
好ましい実施形態において、本発明で使用されるチャネルは、１つの端における単一の入口および反対の端における単一の出口を、形成または画定し得る。しかしながら、再び他の実施形態において、多数の出口および／または入口には、単一のチャネルが提供され得る。
【００２６】
好ましい実施形態において、チャネルは、チャネルの頂部におけるその出口およびチャネルの底部におけるその入口を位置付ける、実質的に垂直の配向で、備え付けられ得る。しかしながら、他のチャネルの方向−水平または角度がある−は、様々な実施形態において使用されてもよいことを、当業者は再び認識するだろう。
【００２７】
好ましい実施形態において、本発明によって提供された捕捉装置は、複数のチャネルを組み入れてよい。これらのチャネルのそれぞれは、潜在的に個々のまたは独立した燻蒸剤ガス流のための導管を提供し得る。しかしながら、さらなる好ましい実施形態において、これらのチャネルは、１つまたはチャネルの出口と１つまたは複数のさらなるチャネルの入口との間に提供されるリンク機構で、互いに相互接続するために配設され得る。このような実施形態において、燻蒸剤ガス流は、複数の連続して配列されたチャネルを通って濾過され得、必要に応じて、潜在的に、これらのガス流を再循環させる順番において再び第１のチャネルに戻る。本発明のこの配設は、ガス流が管理かつ処理される方法に、高度な柔軟性および可変性を提供する。いくつかの場合には、単一チャネルのみが、ガス流を処理するように使用され得るが、他の用途において、ガス流は、処理されるガスの容積、および含んでいる燻蒸剤ガス化合物の濃度に依存する連続して配列されたチャネルを貫通され得る。
【００２８】
好ましい実施形態において、本発明は、可動支持プラットフォームも含む。このプラットフォームは、本発明の様々な構成要素を据え付けかつ支持するように使用され得、特定の好ましい実施形態において、複数のチャネルを支持し得る。さらなる好ましい実施形態において、可動支持プラットフォームは、一組の車輪によって支持され得、かつ、装置が車両によって新しい場所に牽引されることが可能な牽引リンク機構を含むことが好ましい。
【００２９】
これらの実施形態において、本発明のチャネルのそれぞれの鉛直高さは、小型で操作しやすいモバイル装置を提供するために、制限または制御され得る。多数の相互接続されたチャネルは、この種類のモバイルプラットフォームに据え付けられ得、制限された場所へのアクセスを防止する、ある程度装置の高さを必ずしも増やさずに、適用範囲において要求される処理能力を提供する。
【００３０】
本発明は、ガス流をその１つまたは複数のチャネルを通って追いやるように配設された、ファンまたはポンプから形成された、少なくとも１つの追いやり構造体を含む。１つまたは複数のそのような追いやり構造体の様々な配設および構成は、実施形態の範囲において使用され得ることを、当業者は認識するだろう。例えば、いくつかの例において、本発明は、導管を通してガス流を押す、かつ／または引くのに、一対のファンまたはポンプを使用し得るが、他の例において、ファンまたはポンプは、装置内に組み込まれたそれぞれおよびすべてのチャネルに提供され得る。
【００３１】
本発明は、本発明が組み込む各チャネル当たり、少なくとも１つの噴霧ノズルを組み入れることが、好ましい。噴霧ノズルは、チャネルの内部に処理液を、好ましくは小水滴の霧状で、送達するために提供される。
【００３２】
いくつかの実施形態において、処理装置は、そのチャネルのそれぞれにおいて、１つの噴霧ノズルのみを組み込む。単一のノズルは、このような実施形態において、チャネルの出口に隣接して配設または位置付けられることができる。
【００３３】
しかしながら、本発明の他の構成および配設も、その範囲内にあることを、当業者は認識するだろう。例えば、他の実施形態において、２つまたは潜在的にそれ以上の噴霧ノズルは、チャネル内に位置付けられ得、それらは、チャネルの出口またはそれに隣接するか、または、チャネルの全長に沿って配置され得る。
【００３４】
本発明は、チャネルの入口と出口との間のチャネル内に位置付けられた、少なくとも１つのパッキン要素を組み入れる。本発明で使用されるパッキン要素は、ノズルによって提供された処理液の噴霧液に晒され、燻蒸剤ガス化合物の段階を液体状に増進または促進させる。
【００３５】
本発明で使用されるパッキン要素は、要素に影響を与える処理液水滴の大きさを縮小させるように作用する。パッキン要素に対して噴霧された液体の比較的大きな滴は、なるべくチャネル内に処理液の微細霧を作るために、分離され、さらに細分化されることが好ましい。
【００３６】
本発明で使用されるパッキン要素は、チャネル通って追いやられたガスに噴霧された処理液の接触表面積を増加させる。パッキン要素に対して噴霧された処理液は、要素の面（できるだけ全面）を覆い、その結果、燻蒸剤ガスと処理液との間で接触する表面積を増大させる。
【００３７】
優先的に、パッキン材料は、噴霧された処理液とのより大きな相互作用をもたらすように、燻蒸剤ガス流内の乱流を増大させて、ガスから液相への燻蒸剤分子の移行率を高める。
【００３８】
さらなる好ましい実施形態において、パッキン要素は、チャネル内のガスと液体との間で接触する表面積を最適化するように配設された、適切な形状および寸法を有する、テラレットから形成され得る。
【００３９】
好ましい実施形態において、本発明で使用されたチャネルは、多数のパッキン要素を置くために使用され得る。これらのパッキン要素は、チャネルが実質的に垂直の配向を有する場合、充填された塔配設を形成することができ、塔の頂部に噴霧された処理液と塔の底部を通って追いやられた燻蒸剤ガスとの間の接触表面積を実質的に増大させる。
【００４０】
本発明は、捕捉かつ処理するのに使用される、燻蒸剤ガスに応じて、広範な異なる種類の処理液を使用し得る。様々な実施形態において、使用される処理液は、少なくとも７のｐＨ値を有する、塩基性またはアルカリ性の溶液であることが好ましい。
【００４１】
好ましい実施形態において、本発明によって使用される処理液は、有機溶媒からなるか、またはそれを含み得る。これらの化合物は、燻蒸剤の化学物質に反応して、それを中和させることに加え、燻蒸剤ガス化合物を液体状において捕捉することに関しても、効率的に実行する。有機溶媒は、妥当な時間内で処理されることができる、燻蒸剤ガスの操作速度および容積に関して、特定の利点を提供する。これらの化合物は、敏速に燻蒸剤ガスを捕捉するので、次に続いて、燻蒸剤ガスの大容積が本発明によって効率的に処理されることができる、１つの段階において、それらを中和することができる。
【００４２】
好ましい実施形態において、本発明は、少なくとも１つのチャネルの入口と係合した、伝熱構造を含み得る。伝熱要素は、チャネルの入口に入って流れるガスの温度を増加させるのに使用されることができ、提供された装置の効率を増大させる可能性がある。
【００４３】
さらなる好ましい実施形態において、伝熱構造は、チャネル入口に連結された導管の一部を包囲し、燻蒸剤ガスの流れを移送する、熱交換コイルから形成され得る。このような構造は、例えば、炭化水素バーナーなどの加熱源を組み入れることもでき、熱交換コイルを通して循環される流体を熱し温めるのに使用される。例えば、１つの考えられる実施形態において、ディーゼルバーナーシステムは、チャネル入口に入る燻蒸剤ガス流を予熱するために、熱交換コイル中を循環されられる、水を熱するのに使用され得る。
【００４４】
本発明は、１つまたは複数のチャネルと連結された単一の伝熱構造、または、１つが本発明のそれぞれのチャネルに提供される可能性がある、複数の熱交換構造を含み得ることを、当業者は認識するだろう。
【００４５】
本発明は、従来技術よりも多くの潜在的な利点を提供する。
【００４６】
様々な実施形態において、本発明は、様々な燻蒸剤筐体から、流量の範囲にわたって供給された燻蒸剤ガスを捕捉することにも処理することにも使用されることができる。本発明は、１つまたは複数の処理サイクルの完了後、装置から排水されることのみが必要なこの液体で、
処理液の噴霧を利用して、燻蒸剤ガスを捕捉かつ処理する。これは、実施および整備要求を著しく増加させてきた、従来の活性炭ベースのガス洗浄システムと対比され得る。
【００４７】
複数のチャネルが提供される実施形態において、これらのチャネルは、特定の用途または燻蒸空間の要求に適合させるために、モジュール方式において互いに相互接続されることができる。さらにいくつかの実施形態において、この段階的またはモジュール配置は、本発明の稼働構成要素が、場所から場所へ牽引されることができる可動プラットフォームに据え付けられることを可能にする、携帯的特徴を備える。
【００４８】
本発明の付加的かつさらなる態様は、以下の添付図面に関して、ほんの例として与えられる、実施形態の次の説明から、読者にとって明白であろう。
【図面の簡単な説明】
【００４９】
【図１】好ましい実施形態により提供されるように、燻蒸剤ガスの捕捉および処理装置の側面図を示す。
【図２】図１の装置の平面図を示す。
【図３】図１および図２に関して示される、装置内へ組み込まれたチャネルのうちの一つの側面断面図を示す。
【発明を実施するための形態】
【００５０】
本発明のさらなる態様は、特定の実施形態のほんの一例として与えられる、本発明の次の説明から、明白となるであろう。
【００５１】
図１および２は、好ましい実施形態により提供されるように、ガス捕捉および処理装置１の側面および平面図を示す。図３は、装置の組立において使用される、チャネル２の１つの側面断面図を提供する。
【００５２】
捕捉装置１は、燻蒸剤ガスを含んでいる容積に接続されることができる、４つのチャネル２の配列を含む。示される実施形態において、装置１は、燻蒸過程の完了後、山積みの覆われた丸太から抽出された臭化メチルガスを受容するように配設される。様々な実施形態において、丸太の山積みから抽出された臭化メチルガスは、チャネル２に到達する前に、熱処理構造（図示せず）を貫通し得る。この熱処理構造は、チャネルに送達する前に、臭化メチルガスの温度を上昇させるのに使用されることができる。
【００５３】
それぞれのチャネル２は、ガスを受け取る入口３と、ガスがチャネルから出ることを可能にする出口４とを画定する。図１および２から分かるように、チャネルは、出口４がチャネルの頂部にあり、入口３がチャネルの底部にある状態での垂直配向を有する。
【００５４】
図２は、これらの４つのチャネルのそれぞれが、装置に供給されるガスに施される処理を変えるのに、どのようにモジュール式に構成され得るかを示す。示された特定の実施形態において、４つのチャネルは、２対のチャネルに分割される。第１のチャネル２ａの出口は、第２のチャネル２ｂの入口に接続される。これにより、第２のチャネルの出口は、同伴処理液を取り除き、かつ処理されたガス流が環境空気に放出されることを可能にする、遠心濾過装置５に接続される。
【００５５】
他の構成において、４つのチャネルすべては、ガス流に施される処理を最大化するように出口から入口に接続されてもよく、またガス流を再循環させるのに、第１のチャネルの入口に接続される最終チャネルの出口を潜在的に有することができる。
【００５６】
捕捉装置１は、入口ファン６および出口ファン７によりこの実施形態に形成された、一対の追いやり構造を含む。これらのファンは、吹出効果または吸引効果のいずかによってチャネルのそれぞれ中に燻蒸剤ガスを追いやるように配置される。
【００５７】
図３に関して示されるように、装置１は、処理液をそれぞれのチャネルに一体化された噴霧ノズル９に送達するように設けられた、処理液８のリザーバを含む。塩基性液またはアルカリ液などの他の化合物が代替的な実施形態において使用され得るが、示された実施形態では、この処理液は、有機溶剤から形成される。
【００５８】
それぞれの噴霧ノズル９は、処理液をチャネル２中に送達するように適合され、チャネルの出口４に隣接して設けられる。
【００５９】
それぞれのチャネルは、チャネル内に位置付けられた多くのパッキン要素も含み、噴霧ノズル９が処理液をパッキン要素に噴霧することを可能にする。示された実施形態では、これらのパッキン要素は、テラレット１０の集合によって形成される。
【００６０】
使用中、処理流体は、リザーバからそれぞれの噴霧ノズル８に送達され、それぞれの垂直に向けられたチャネル２の内部に詰められたテラレット１０に噴霧される。次に、燻蒸剤ガスが、入口ファン６および出口ファン７のいずれかまたは両方の動作下で、チャネル中に追いやられる。ファンの動作は、燻蒸剤ガスを、パッキン要素テラレット１０の面を覆う処理液に加え、処理液滴の霧にも接触するように追いやる。
【００６１】
パッキン要素が詰められた垂直に向けられたチャネルに使用されるこれは、接触面と、処理液とガス流との間の相互作用とを最大化させ、燻蒸剤ガスに対する液体への相変化を促進した。次に、処理液は、捕捉された燻蒸化合物と反応し、この化合物をより害のない形態に中和する。次に、処理されたガス流は、それらが捕捉された時点での燻蒸剤化合物なしで環境空気に放出され得、これらの化合物を中和するのに使用された処理流体は、簡単に、それぞれのチャネルから排出され、リザーバ８に汲み戻され得る。
【００６２】
図１および２から分かるように、装置は、可動支持プラットフォーム１１も含む。このプラットフォームは、一組の車輪１３に据え付けられたデッキ１２を設けることにより、本発明の様々な追加の構成要素を据え付け、支持するのに使用される。装置が、現場から現場に車両によって牽引されることを可能にするために、デッキの一端に牽引リンク機構１４も提供される。
【００６３】
これらの実施形態では、本発明のチャネルのそれぞれの鉛直高さは、小型で操作しやすい可動装置１をもたらすように制限または制御されてもよい。可動プラットフォームに据え付けられ、相互接続されたチャネルは、すべて、狭い場所に近づくことを妨げる可能性のある高さまで装置の高さを必ずしも高くしなくても、適用範囲で必要とされる処理容積を提供することができる。
【００６４】
これらのチャネルは、特定の用途または燻蒸スペースの要件に合うように、モジュール方式でも互いに相互接続され得る。可動プラットフォームと組み合わされる場合、この段階式またはモジュール式配置は、移動可能特性を備え、本発明の作動構成部品が、限られたスペースを通ってまたはその中の様々な場所に牽引されることを可能にする。
【００６５】
先の説明および以下の特許請求の範囲では、「ｃｏｍｐｒｉｓｅ（備える）」またはそれの同等な変異形は、包括的な意味で、述べられた１つまたは複数の特徴の存在を明示するのに使用される。この用語は、様々な実施形態におけるさらなる特徴の存在または追加を排除するものではない。
【００６６】
本発明が、本明細書に説明された実施形態に限定されるものではなく、本発明の趣旨および範囲内のさらなる実施形態および追加の実施形態が、図面に関連して示された例から当業者には明らかになることが理解されるべきである。具体的には、本発明は、本明細書に説明された特徴のいずれの組合せにも存してもよく、または、代替的な実施形態もしくはこれらの特徴と所与の特徴の既知の均等物との組合せに存してもよい。上述の本発明の実施形態例の修正および変更が、当業者には明らかであり、添付の特許請求の範囲に定義されるような本発明の範囲を逸脱することなく行われ得る。
【図１】
2018511461.tif 000003
【図２】
2018511461.tif 000004
【手続補正書】
【提出日】平成28年12月13日(2016.12.13)
【手続補正１】
【補正対象書類名】明細書
【補正対象項目名】全文
【補正方法】変更
【補正の内容】
【発明の詳細な説明】
【技術分野】
【０００１】
本発明は、燻蒸剤ガス捕捉の方法およびその装置に関する。好ましい実施形態において、本発明を使用して、燻蒸剤化合物を処理または中和することができる。
【背景技術】
【０００２】
様々な用途において望ましくない生物を殺滅するのに、燻蒸剤ガスが使用される。たとえば、駆除剤、除草剤、または殺虫剤の役割を果たす燻蒸剤ガスが、囲まれた容積内で循環させられ得る。建物、船倉、または穀物用サイロなどの構造の内部において害虫を殺滅するのに、また輸送コンテナ内にある商品を殺菌するのに、燻蒸剤ガスが使用され得る。他の用途では、輸送の前または後に木材を殺菌するのに、燻蒸剤ガスが、布カバーでくるまれた丸太の山の中に備えられ得る。燻蒸剤ガスの適用範囲は、これらのガスが、比較的小さな囲まれた容積でも相対的に大きな囲まれた容積でもその中に投入され、またそこから取り除かれることを要求する。
【０００３】
しかしながら、一般的に使用される燻蒸剤ガス合成物の多くは、人の健康および安全性に危険をもたらす。さらに、これらの合成物のいくつかは、大気に直接排出される場合、環境汚染源でもある。例えば、臭化メチルは、オゾンと反応する、広く使用される燻蒸剤である。世界中の様々な規制機関は、今、これらの種類のガスの直接大気への排出を制限し始めている。
【０００４】
多数の従来技術は、様々な閉鎖環境に放出された燻蒸剤ガスを捕捉、洗浄、または処理することを発展させてきた。
【０００５】
例えば、米国特許出願公開第２０１０／０１７２８０７号は、反応液の槽を通して燻蒸剤ガスを泡立てる、燻蒸剤ガス洗浄器の代表的な例を開示する。これらの槽に基づくシステムは、ガスを反応させて問題の少ない化合物にする、処理液に晒された燻蒸剤ガスの十分な当接表面積に依拠する。ガス気泡の大きさのせいで、これらのシステムは、燻蒸剤ガスの小容積または低流量を処理するのに使用される場合しか実用的または効果的ではない。溶液槽に適用されたガス流量が増加すると、槽溶液に晒され、かつそれによって処理された燻蒸剤ガスの量を制限する、槽を通過するガス気泡の容積も増加する。
【０００６】
上記システムに存在する規模または有用性の問題に取り組む１つの試みは、最初は活性炭の基質において燻蒸剤ガスを捕捉することであった。米国特許第５９０４９０９号は、この技術形態の代表的な例を提供する。燻蒸剤ガスを含むガス流は、ガス流から燻蒸剤ガスを捕捉および取り除く、並んだ活性炭材料を含む導管に送達される。これらの導管内の活性炭は、最終的にこれらの化合物で飽和状態になる。炭は、その後、除去され、捕捉された燻蒸剤ガス化合物を処理および中和するのに使用される、追加の溶液または反応液に晒される。
【０００７】
これらの種類の活性炭ガス洗浄器は、比較的に高流量で送達される、大容積の燻蒸剤ガスを捕捉かつ処理するのに効果的に機能することができる。しかしながら、それらは、原料集中システムであり、高い整備要求を有する。さらに、活性炭によるいくつかの種類の燻蒸剤ガスの捕捉は、発熱反応を誘発し、生成された熱が注意深く扱われることを必要とし、起こり得る火災の危険性をもたらす。
【先行技術文献】
【特許文献】
【０００８】
【特許文献１】米国特許出願公開第２０１０／０１７２８０７号明細書
【発明の概要】
【発明が解決しようとする課題】
【０００９】
したがって、上記の問題に取り組み、または少なくとも公民に代替的選択を提供した、従来技術に対して改良を有するのは有利となるだろう。実際に小容量および大容量の両方の燻蒸剤ガスで使用され得、安価に実施、実行かつ維持された、改良された燻蒸剤ガス捕捉および処理技術は、特に有利となるだろう。場所から場所へ簡単に移送され得、制限された空間内に納まるように構成され得る、改良された燻蒸剤ガス捕捉および処理装置も、有利となるだろう。
本明細書において、特許明細書および他の文書を含む、外部情報源に対して参照が行われたが、これは、概して、本発明の特徴を考察するための背景状況を提供する目的のためである。別段の定めがない限り、このような情報源への参照は、如何なる権限においても、このような情報源が先行技術であるか、または、当技術分野における共通一般知識の一部を形成するという自認として、解釈されるべきではない。
【課題を解決するための手段】
【００１０】
本発明の一態様に従って、燻蒸剤ガス捕捉装置が提供され、本装置は、
燻蒸剤ガスを含む容積に接続するために適合された、垂直配向を有する少なくとも１つのチャネルであって、ガスを受容する、チャネルの底部に位置する入口と、ガスがチャネルから出ることを可能にする、チャネルの上部に位置する出口と、を画定する、少なくとも１つのチャネルと、
チャネルを通って燻蒸剤ガスを追いやるように配設された少なくとも１つの追いやり構造体（ｄｒｉｖｅ  ｓｔｒｕｃｔｕｒｅ）と、
処理液をチャネル内へ送達するように適合された少なくとも１つの噴霧ノズルと、
噴霧ノズルまたはノズルが処理液をパッキン要素上に噴霧することを可能にするようにチャネル内に位置付けられた少なくとも１つのパッキン要素と、を含む。
【００１１】
本発明のさらなる態様に従って、処理液を少なくとも１つの噴霧ノズルに送達するように適合された、処理液のリザーバを含む、実質的に上記に説明されたような、燻蒸剤ガス捕捉装置が提供される。
【００１２】
燻蒸剤ガス捕捉の方法は、
少なくとも１つのパッキン要素と交差するように、処理液をチャネルに噴霧するステップと、
チャネルを通って燻蒸剤ガスを追いやり、噴霧された処理液と接触させるステップによって特徴付けられる。
【００１３】
本発明のさらなる態様に従って、実質的に上記に説明されたように、燻蒸剤ガス捕捉装置が提供され、パッキン要素上の噴霧する処理液は、チャネルを通って追いやられたとき、燻蒸剤ガスが晒される処理液滴のサイズを縮小する。本発明で使用されるパッキン要素はまた、カラムを通る気流の乱れを増加させ、燻蒸剤ガスと処理液との間の相互作用を増やす。
【００１４】
本発明のさらなる態様に従って、上記の少なくとも１つのパッキン要素が、噴霧ノズルにより処理液で噴霧され、パッキン要素の面の少なくとも一部を処理液で覆い、燻蒸剤ガスを、チャネルを通って追いやられたときに、パッキン要素の覆われた１つまたは複数の面に晒す、ほぼ上述のような燻蒸剤ガス捕捉装置が提供される。
【００１５】
処理液は、少なくとも７のｐＨ値を有する、塩基性またはアルカリ性の液であることが、好ましい。
【００１６】
処理液は、有機溶媒からなるか、またはそれを含むことが好ましい。
【００１７】
本発明のさらなる態様に従って、実質的に上記に説明されたように、燻蒸剤ガス捕捉装置が提供され、少なくとも１つの噴霧ノズルは、チャネルの出口に隣接して位置している。
【００１８】
チャネルは、チャネルの頂部における出口およびチャネルの底部における入口を有する、実質的に垂直の配向で提供される。この配列において、チャネルは、ガスが処理液の流れに対して押し上げられる、実質的に中空カラムを形成する。
【００１９】
本発明のさらなる態様に従って、追加のチャネルの入口に接続されている、少なくとも１つのチャネルの出口を備える複数のチャネルを含む、実質的に上記に説明されたような、燻蒸剤ガス捕捉装置が提供される。
【００２０】
本発明の別の態様に従って、少なくとも１つのチャネルの入口と係合した伝熱構造を含む、実質的に上記に説明したような、燻蒸剤ガス捕捉装置が提供される。
【００２１】
本発明は、燻蒸剤ガスを捕捉するための装置および方法を提供するのに適合される。本発明は、燻蒸された容積（本明細書において「燻蒸処理室」とも呼ばれる）から送達されたこれらの燻蒸剤ガスを捕捉かつ反応するような、処理液の使用を採用する。
【００２２】
本発明は、様々な環境から送達されることができる、広範な燻蒸剤ガスを捕捉かつ処理するのに使用され得ることを、当業者は認識されよう。本発明は、例えば、様々な用途において、臭化メチル、フッ化スルフリル、またはホスフィンから形成された燻蒸剤ガスを捕捉かつ処理するのに使用され得る。さらに、本発明は、例えば、建物、穀物サイロ、船倉、輸送コンテナの内部から抽出された燻蒸剤ガス、または、様々な用途における覆われた山積みの丸太の下に閉じ込められた燻蒸剤ガスを使用し得る。
【００２３】
しかしながら、この明細書を通した全体的な参照は、燻蒸剤ガスとして臭化メチルを捕捉かつ処理するのに使用される発明に対して主になされることになる。他の種類のガスも、本発明と関連して捕捉かつ処理され得ることが、再び当業者は認識するだろう。
【００２４】
発明は、少なくとも１つのチャネルを使用して、処理される燻蒸剤ガスの通過また移動を制御する。本発明と関連して使用されるチャネルは、入口から出口への経路を画定する、任意の種類の導管、ハウジング、または筐体によって形成され得ることが、好ましい。チャネルによって画定された経路は、実質的に直線状であり得ることが好ましいが、導管の代替の形状または形態は、様々な実施形態においても使用され得ることを、当業者は認識するだろう。
【００２５】
好ましい実施形態において、本発明で使用されるチャネルは、１つの端における単一の入口および反対の端における単一の出口を、形成または画定し得る。しかしながら、再び他の実施形態において、多数の出口および／または入口には、単一のチャネルが提供され得る。
【００２６】
好ましい実施形態において、チャネルは、チャネルの頂部におけるその出口およびチャネルの底部におけるその入口を位置付ける、実質的に垂直の配向で、備え付けられ得る。しかしながら、他のチャネルの方向−水平または角度がある−は、様々な実施形態において使用されてもよいことを、当業者は再び認識するだろう。
【００２７】
好ましい実施形態において、本発明によって提供された捕捉装置は、複数のチャネルを組み入れてよい。これらのチャネルのそれぞれは、潜在的に個々のまたは独立した燻蒸剤ガス流のための導管を提供し得る。しかしながら、さらなる好ましい実施形態において、これらのチャネルは、１つまたはチャネルの出口と１つまたは複数のさらなるチャネルの入口との間に提供されるリンク機構で、互いに相互接続するために配設され得る。このような実施形態において、燻蒸剤ガス流は、複数の連続して配列されたチャネルを通って濾過され得、必要に応じて、潜在的に、これらのガス流を再循環させる順番において再び第１のチャネルに戻る。本発明のこの配設は、ガス流が管理かつ処理される方法に、高度な柔軟性および可変性を提供する。いくつかの場合には、単一チャネルのみが、ガス流を処理するように使用され得るが、他の用途において、ガス流は、処理されるガスの容積、および含んでいる燻蒸剤ガス化合物の濃度に依存する連続して配列されたチャネルを貫通され得る。
【００２８】
好ましい実施形態において、本発明は、可動支持プラットフォームも含む。このプラットフォームは、本発明の様々な構成要素を据え付けかつ支持するように使用され得、特定の好ましい実施形態において、複数のチャネルを支持し得る。さらなる好ましい実施形態において、可動支持プラットフォームは、一組の車輪によって支持され得、かつ、装置が車両によって新しい場所に牽引されることが可能な牽引リンク機構を含むことが好ましい。
【００２９】
これらの実施形態において、本発明のチャネルのそれぞれの鉛直高さは、小型で操作しやすいモバイル装置を提供するために、制限または制御され得る。多数の相互接続されたチャネルは、この種類のモバイルプラットフォームに据え付けられ得、制限された場所へのアクセスを防止する、ある程度装置の高さを必ずしも増やさずに、適用範囲において要求される処理能力を提供する。
【００３０】
本発明は、ガス流をその１つまたは複数のチャネルを通って追いやるように配設された、ファンまたはポンプから形成された、少なくとも１つの追いやり構造体を含む。１つまたは複数のそのような追いやり構造体の様々な配設および構成は、実施形態の範囲において使用され得ることを、当業者は認識するだろう。例えば、いくつかの例において、本発明は、導管を通してガス流を押す、かつ／または引くのに、一対のファンまたはポンプを使用し得るが、他の例において、ファンまたはポンプは、装置内に組み込まれたそれぞれおよびすべてのチャネルに提供され得る。
【００３１】
本発明は、本発明が組み込む各チャネル当たり、少なくとも１つの噴霧ノズルを組み入れることが、好ましい。噴霧ノズルは、チャネルの内部に処理液を、好ましくは小水滴の霧状で、送達するために提供される。
【００３２】
いくつかの実施形態において、処理装置は、そのチャネルのそれぞれにおいて、１つの噴霧ノズルのみを組み込む。単一のノズルは、このような実施形態において、チャネルの出口に隣接して配設または位置付けられることができる。
【００３３】
しかしながら、本発明の他の構成および配設も、その範囲内にあることを、当業者は認識するだろう。例えば、他の実施形態において、２つまたは潜在的にそれ以上の噴霧ノズルは、チャネル内に位置付けられ得、それらは、チャネルの出口またはそれに隣接するか、または、チャネルの全長に沿って配置され得る。
【００３４】
本発明は、チャネルの入口と出口との間のチャネル内に位置付けられた、少なくとも１つのパッキン要素を組み入れる。本発明で使用されるパッキン要素は、ノズルによって提供された処理液の噴霧液に晒され、燻蒸剤ガス化合物の段階を液体状に増進または促進させる。
【００３５】
本発明で使用されるパッキン要素は、要素に影響を与える処理液水滴の大きさを縮小させるように作用する。パッキン要素に対して噴霧された液体の比較的大きな滴は、なるべくチャネル内に処理液の微細霧を作るために、分離され、さらに細分化されることが好ましい。
【００３６】
本発明で使用されるパッキン要素は、チャネル通って追いやられたガスに噴霧された処理液の接触表面積を増加させる。パッキン要素に対して噴霧された処理液は、要素の面（できるだけ全面）を覆い、その結果、燻蒸剤ガスと処理液との間で接触する表面積を増大させる。
【００３７】
優先的に、パッキン材料は、噴霧された処理液とのより大きな相互作用をもたらすように、燻蒸剤ガス流内の乱流を増大させて、ガスから液相への燻蒸剤分子の移行率を高める。
【００３８】
さらなる好ましい実施形態において、パッキン要素は、チャネル内のガスと液体との間で接触する表面積を最適化するように配設された、適切な形状および寸法を有する、テラレットから形成され得る。
【００３９】
好ましい実施形態において、本発明で使用されたチャネルは、多数のパッキン要素を置くために使用され得る。これらのパッキン要素は、チャネルが実質的に垂直の配向を有する場合、充填された塔配設を形成することができ、塔の頂部に噴霧された処理液と塔の底部を通って追いやられた燻蒸剤ガスとの間の接触表面積を実質的に増大させる。
【００４０】
本発明は、捕捉かつ処理するのに使用される、燻蒸剤ガスに応じて、広範な異なる種類の処理液を使用し得る。様々な実施形態において、使用される処理液は、少なくとも７のｐＨ値を有する、塩基性またはアルカリ性の溶液であることが好ましい。
【００４１】
好ましい実施形態において、本発明によって使用される処理液は、有機溶媒からなるか、またはそれを含み得る。これらの化合物は、燻蒸剤の化学物質に反応して、それを中和させることに加え、燻蒸剤ガス化合物を液体状において捕捉することに関しても、効率的に実行する。有機溶媒は、妥当な時間内で処理されることができる、燻蒸剤ガスの操作速度および容積に関して、特定の利点を提供する。これらの化合物は、敏速に燻蒸剤ガスを捕捉するので、次に続いて、燻蒸剤ガスの大容積が本発明によって効率的に処理されることができる、１つの段階において、それらを中和することができる。
【００４２】
好ましい実施形態において、本発明は、少なくとも１つのチャネルの入口と係合した、伝熱構造を含み得る。伝熱要素は、チャネルの入口に入って流れるガスの温度を増加させるのに使用されることができ、提供された装置の効率を増大させる可能性がある。
【００４３】
さらなる好ましい実施形態において、伝熱構造は、チャネル入口に連結された導管の一部を包囲し、燻蒸剤ガスの流れを移送する、熱交換コイルから形成され得る。このような構造は、例えば、炭化水素バーナーなどの加熱源を組み入れることもでき、熱交換コイルを通して循環される流体を熱し温めるのに使用される。例えば、１つの考えられる実施形態において、ディーゼルバーナーシステムは、チャネル入口に入る燻蒸剤ガス流を予熱するために、熱交換コイル中を循環されられる、水を熱するのに使用され得る。
【００４４】
本発明は、１つまたは複数のチャネルと連結された単一の伝熱構造、または、１つが本発明のそれぞれのチャネルに提供される可能性がある、複数の熱交換構造を含み得ることを、当業者は認識するだろう。
【００４５】
本発明は、従来技術よりも多くの潜在的な利点を提供する。
【００４６】
様々な実施形態において、本発明は、様々な燻蒸剤筐体から、流量の範囲にわたって供給された燻蒸剤ガスを捕捉することにも処理することにも使用されることができる。本発明は、１つまたは複数の処理サイクルの完了後、装置から排水されることのみが必要なこの液体で、
処理液の噴霧を利用して、燻蒸剤ガスを捕捉かつ処理する。これは、実施および整備要求を著しく増加させてきた、従来の活性炭ベースのガス洗浄システムと対比され得る。
【００４７】
複数のチャネルが提供される実施形態において、これらのチャネルは、特定の用途または燻蒸空間の要求に適合させるために、モジュール方式において互いに相互接続されることができる。さらにいくつかの実施形態において、この段階的またはモジュール配置は、本発明の稼働構成要素が、場所から場所へ牽引されることができる可動プラットフォームに据え付けられることを可能にする、携帯的特徴を備える。
【００４８】
本発明の付加的かつさらなる態様は、以下の添付図面に関して、ほんの例として与えられる、実施形態の次の説明から、読者にとって明白であろう。
【図面の簡単な説明】
【００４９】
【図１】好ましい実施形態により提供されるように、燻蒸剤ガスの捕捉および処理装置の側面図を示す。
【図２】図１の装置の平面図を示す。
【図３】図１および図２に関して示される、装置内へ組み込まれたチャネルのうちの一つの側面断面図を示す。
【発明を実施するための形態】
【００５０】
本発明のさらなる態様は、特定の実施形態のほんの一例として与えられる、本発明の次の説明から、明白となるであろう。
【００５１】
図１および２は、好ましい実施形態により提供されるように、ガス捕捉および処理装置１の側面および平面図を示す。図３は、装置の組立において使用される、チャネル２の１つの側面断面図を提供する。
【００５２】
捕捉装置１は、燻蒸剤ガスを含んでいる容積に接続されることができる、４つのチャネル２の配列を含む。示される実施形態において、装置１は、燻蒸過程の完了後、山積みの覆われた丸太から抽出された臭化メチルガスを受容するように配設される。様々な実施形態において、丸太の山積みから抽出された臭化メチルガスは、チャネル２に到達する前に、熱処理構造（図示せず）を貫通し得る。この熱処理構造は、チャネルに送達する前に、臭化メチルガスの温度を上昇させるのに使用されることができる。
【００５３】
それぞれのチャネル２は、ガスを受け取る入口３と、ガスがチャネルから出ることを可能にする出口４とを画定する。図１および２から分かるように、チャネルは、出口４がチャネルの頂部にあり、入口３がチャネルの底部にある状態での垂直配向を有する。
【００５４】
図２は、これらの４つのチャネルのそれぞれが、装置に供給されるガスに施される処理を変えるのに、どのようにモジュール式に構成され得るかを示す。示された特定の実施形態において、４つのチャネルは、２対のチャネルに分割される。第１のチャネル２ａの出口は、第２のチャネル２ｂの入口に接続される。これにより、第２のチャネルの出口は、同伴処理液を取り除き、かつ処理されたガス流が環境空気に放出されることを可能にする、遠心濾過装置５に接続される。
【００５５】
他の構成において、４つのチャネルすべては、ガス流に施される処理を最大化するように出口から入口に接続されてもよく、またガス流を再循環させるのに、第１のチャネルの入口に接続される最終チャネルの出口を潜在的に有することができる。
【００５６】
捕捉装置１は、入口ファン６および出口ファン７によりこの実施形態に形成された、一対の追いやり構造を含む。これらのファンは、吹出効果または吸引効果のいずかによってチャネルのそれぞれ中に燻蒸剤ガスを追いやるように配置される。
【００５７】
図３に関して示されるように、装置１は、処理液をそれぞれのチャネルに一体化された噴霧ノズル９に送達するように設けられた、処理液８のリザーバを含む。塩基性液またはアルカリ液などの他の化合物が代替的な実施形態において使用され得るが、示された実施形態では、この処理液は、有機溶剤から形成される。
【００５８】
それぞれの噴霧ノズル９は、処理液をチャネル２中に送達するように適合され、チャネルの出口４に隣接して設けられる。
【００５９】
それぞれのチャネルは、チャネル内に位置付けられた多くのパッキン要素も含み、噴霧ノズル９が処理液をパッキン要素に噴霧することを可能にする。示された実施形態では、これらのパッキン要素は、テラレット１０の集合によって形成される。
【００６０】
使用中、処理流体は、リザーバからそれぞれの噴霧ノズル８に送達され、それぞれの垂直に向けられたチャネル２の内部に詰められたテラレット１０に噴霧される。次に、燻蒸剤ガスが、入口ファン６および出口ファン７のいずれかまたは両方の動作下で、チャネル中に追いやられる。ファンの動作は、燻蒸剤ガスを、パッキン要素テラレット１０の面を覆う処理液に加え、処理液滴の霧にも接触するように追いやる。
【００６１】
パッキン要素が詰められた垂直に向けられたチャネルに使用されるこれは、接触面と、処理液とガス流との間の相互作用とを最大化させ、燻蒸剤ガスに対する液体への相変化を促進した。次に、処理液は、捕捉された燻蒸化合物と反応し、この化合物をより害のない形態に中和する。次に、処理されたガス流は、それらが捕捉された時点での燻蒸剤化合物なしで環境空気に放出され得、これらの化合物を中和するのに使用された処理流体は、簡単に、それぞれのチャネルから排出され、リザーバ８に汲み戻され得る。
【００６２】
図１および２から分かるように、装置は、可動支持プラットフォーム１１も含む。このプラットフォームは、一組の車輪１３に据え付けられたデッキ１２を設けることにより、本発明の様々な追加の構成要素を据え付け、支持するのに使用される。装置が、現場から現場に車両によって牽引されることを可能にするために、デッキの一端に牽引リンク機構１４も提供される。
【００６３】
これらの実施形態では、本発明のチャネルのそれぞれの鉛直高さは、小型で操作しやすい可動装置１をもたらすように制限または制御されてもよい。可動プラットフォームに据え付けられ、相互接続されたチャネルは、すべて、狭い場所に近づくことを妨げる可能性のある高さまで装置の高さを必ずしも高くしなくても、適用範囲で必要とされる処理容積を提供することができる。
【００６４】
これらのチャネルは、特定の用途または燻蒸スペースの要件に合うように、モジュール方式でも互いに相互接続され得る。可動プラットフォームと組み合わされる場合、この段階式またはモジュール式配置は、移動可能特性を備え、本発明の作動構成部品が、限られたスペースを通ってまたはその中の様々な場所に牽引されることを可能にする。
【００６５】
先の説明および以下の特許請求の範囲では、「ｃｏｍｐｒｉｓｅ（備える）」またはそれの同等な変異形は、包括的な意味で、述べられた１つまたは複数の特徴の存在を明示するのに使用される。この用語は、様々な実施形態におけるさらなる特徴の存在または追加を排除するものではない。
【００６６】
本発明が、本明細書に説明された実施形態に限定されるものではなく、本発明の趣旨および範囲内のさらなる実施形態および追加の実施形態が、図面に関連して示された例から当業者には明らかになることが理解されるべきである。具体的には、本発明は、本明細書に説明された特徴のいずれの組合せにも存してもよく、または、代替的な実施形態もしくはこれらの特徴と所与の特徴の既知の均等物との組合せに存してもよい。上述の本発明の実施形態例の修正および変更が、当業者には明らかであり、添付の特許請求の範囲に定義されるような本発明の範囲を逸脱することなく行われ得る。
【手続補正２】
【補正対象書類名】特許請求の範囲
【補正対象項目名】全文
【補正方法】変更
【補正の内容】
【特許請求の範囲】
【請求項１】
燻蒸剤ガスを含む容積に接続するために適合された、垂直配向を有する少なくとも１つのチャネルであって、ガスを受容する、前記チャネルの底部に配置された入口と、ガスが前記チャネルから出ることを可能にする、前記チャネルの上部に配置された出口と、を画定する、少なくとも１つのチャネルと、
前記チャネルを通って燻蒸剤ガスを追いやるように配設された少なくとも１つの追いやり構造体と、
処理液を前記チャネル内へ送達するように適合された少なくとも１つの噴霧ノズルと、
噴霧ノズルまたはノズルが処理液をパッキン要素上に噴霧することを可能にするように前記チャネル内に位置付けられた少なくとも１つの前記パッキン要素と、を含む、燻蒸剤ガス捕捉装置。
【請求項２】
前記少なくとも１つのパッキン要素が、前記少なくとも１つのパッキン要素の表面の少なくとも一部を処理液で覆うように噴霧ノズルにより処理液を噴霧されて、燻蒸剤ガスを、前記チャネルを通って追いやられたときに、前記パッキン要素の前記覆われた１つまたは複数の表面に晒す、請求項１に記載の燻蒸剤ガス捕捉装置。
【請求項３】
臭化メチルを捕捉しかつ処理する、請求項１に記載の燻蒸剤ガス捕捉装置。
【請求項４】
処理液を前記少なくとも１つの噴霧ノズルに送達するように適合された、処理液のリザーバを含む、請求項１に記載の燻蒸剤ガス捕捉装置。
【請求項５】
前記処理液が、少なくとも７のｐＨ値を有する、塩基性またはアルカリ性の液体である、請求項４に記載の燻蒸剤ガス捕捉装置。
【請求項６】
前記処理液が、有機溶媒からなるか、またはそれを含む、請求項４に記載の燻蒸剤ガス捕捉装置。
【請求項７】
チャネルが、１つの端に単一の入口およびその反対の端に単一の出口を備える、線形導管によって形成される、請求項１に記載の燻蒸剤ガス捕捉装置。
【請求項８】
１つまたは複数のチャネルの前記出口と１つまたは複数のさらなるチャネルの前記入口との間に提供されるリンク機構で互いに相互接続するために配設された複数のチャネルを組み入れる、請求項７に記載の燻蒸剤ガス捕捉装置。
【請求項９】
燻蒸剤ガス流が、複数の連続して配列されたチャネルを通って濾過される、請求項８に記載の燻蒸剤ガス捕捉装置。
【請求項１０】
前記燻蒸剤ガス捕捉装置のチャネルのそれぞれ内に１つの噴霧ノズルのみを組み込み、各噴霧ノズルが前記チャネルの前記出口に隣接して位置付けられる、請求項１に記載の燻蒸剤ガス捕捉装置。
【請求項１１】
パッキン要素が、前記燻蒸剤ガスが前記チャネルを通って追いやられたときに晒される、前記パッキン要素に噴霧された処理液の液滴のサイズを縮小する、請求項１に記載の燻蒸剤ガス捕捉装置。
【請求項１２】
パッキン要素が、前記燻蒸剤ガス化合物の相が液体形態になることを促進する、請求項１に記載の燻蒸剤ガス捕捉装置。
【請求項１３】
パッキン要素が、前記燻蒸剤ガスにおける乱流を誘起し、チャネル内の前記ガスと液体との間の前記表面積の接触を最適化するように配設されたテラレットから形成される、請求項１に記載の燻蒸剤ガス捕捉装置。
【請求項１４】
本発明で使用されるチャネルが、複数のパッキン要素を配置する、請求項１に記載の燻蒸剤ガス捕捉装置。
【請求項１５】
チャネルが実質的に垂直の配向を有する場合、パッキン要素がパッキンを有する塔機構を形成し、処理液が前記塔の上部に噴霧され、燻蒸剤ガスが前記塔の底部を通って追いやられる、請求項１に記載の燻蒸剤ガス捕捉装置。
【請求項１６】
ファンまたはポンプのうちの１つまたは複数を使用して、導管を通ってガス流を押す、かつ／または引く、請求項１に記載の燻蒸剤ガス捕捉装置。
【請求項１７】
ファンまたはポンプが各チャネルに設けられる、請求項１に記載の燻蒸剤ガス捕捉装置。
【請求項１８】
少なくとも１つのチャネルの前記入口に係合された、伝熱構造体を含む、請求項１に記載の燻蒸剤ガス捕捉装置。
【請求項１９】
車輪のセットによって支持される、可動支持プラットフォームを含む、請求項１に記載の燻蒸剤ガス捕捉装置。
【請求項２０】
前記可動支持プラットフォームが、前記装置が車両によって新しい場所に牽引されることを可能にするように構成された、牽引リンク機構を含む、請求項１９に記載の燻蒸剤ガス捕捉装置。
【請求項２１】
少なくとも１つのパッキン要素と交差するように、処理液をチャネルに噴霧するステップと、
燻蒸剤ガスを、チャネルを通って追いやり、前記噴霧された処理液と接触させるステップとを特徴とする、燻蒸剤ガス捕捉の方法。
【国際調査報告】
2018511461.tif 000005
2018511461.tif 000006
2018511461.tif 000007